【事件の表示】
　特許第３４３１５８０号「内視鏡装置」の請求項１ないし３に係る特許に対する特許異議の申立てについて、次のとおり決定する。
【結　論】
　訂正を認める。
　特許第３４３１５８０号の請求項１ないし３に係る特許を維持する。
【理　由】
［１］経緯
　特許第3431580号の請求項１−３に係る発明についての出願は、平成９年８月７日に出願した特願平９−213535号の一部を平成１２年６月２１日に新たな出願としたものであって、平成１５年５月２３日に特許の設定登録がなされた後、その特許について特許異議申立人ペンタックス株式会社より特許異議の申立てがなされ、取消理由が通知され、その指定期間内である平成１６年１１月９に訂正請求がなされたものである。
　
［２］訂正の適否
ア）訂正の内容
訂正事項ａ
　請求項１の「検査対象部内に挿入される挿入部と、前記挿入部に配設され、広角側及び拡大側に移動するズームレンズを有する対物レンズ系と、前記挿入部の先端部に形成される湾曲動作可能な湾曲部と、前記挿入部の基端側に接続される操作部と、前記操作部に回動可能に配設され、前記湾曲部を湾曲操作するための湾曲操作ノブと、前記湾曲操作ノブの回動中心軸を中心に回動し、先端側に回転させることで、前記ズームレンズをその光軸方向に沿って拡大側に移動させ、基端側に回転させることで、前記ズームレンズを広角側に移動させるための操作レバーと、を具備することを特徴とする内視鏡装置。」とあるのを、
「・・・先端側に回転させることで、前記ズームレンズをその光軸方向に沿って拡大側に移動させ、基端側に回転させることで、前記ズームレンズを広角側に移動させ
、手を離すと中立位置に自動的に復帰する
　
訂正事項ｂ；
　発明の詳細な説明の段落【０００７】の「上記課題を解決するために、本発明の内視鏡装置は、・・・先端側に回転させることで、前記ズームレンズをその光軸方向に沿って拡大側に移動させ、基端側に回転させることで、前記ズームレンズを広角側に移動させるための操作レバーとを具備することを特徴とする。」とあるのを、
「上記課題を解決するために、本発明の
請求項１に係る
、手を離すと中立位置に自動的に復帰する
さらに、請求項２に係る発明は、前記操作レバーは、前記操作部を保持する操作者に向けて、前記操作部の側面と前記湾曲操作ノブとの間に配設されていることを特徴とする請求項１に記載の内視鏡装置である。請求項３に係る発明は、前記操作レバーの回転半径が前記湾曲操作ノブの回転半径よりも大きいことを特徴とする請求項１または請求項２に記載の内視鏡装置である。
　
イ）訂正の目的の適否、新規事項の有無及び拡張・変更の存否
（１）訂正事項ａは、訂正前の請求項１に記載された操作レバーが「手を離すと中立位置に自動的に復帰する」ものであることに限定するものであり、この訂正は、特許請求の範囲の減縮を目的とするものである。
　そして、操作レバーが手を離すと中立位置に自動的に復帰するものであることは特許明細書の段落【００２９】、【００６１】、【００６５】に記載されていたことであるから、この訂正は願書に添付した明細書または図面に記載した事項の範囲内でなされたものであり、また、実質上特許請求の範囲を拡張し又は変更するものではない。
　
（２）訂正事項ｂは、訂正事項ａにおいて訂正された記載との整合をとるために発明の詳細な説明の記載を訂正するとともに、課題を解決するための手段の説明として請求項１乃至請求項３を分離して説明するものであり、明りょうでない記載の釈明を目的とするものである。そして、訂正事項ｂは、願書に添付した明細書又は図面に記載した事項の範囲内においてされたものであり、また、実質上特許請求の範囲を拡張し、又は変更するものではない。
　
ウ）結論
　以上のとおりであるから、上記訂正は、特許法第１２０条の４第２項及び同条第３項において準用する特許法第１２６条第２項から第４項までの規定に適合するので、当該訂正を認める。
　
［３］特許異議申立てについての判断
（１）前示のとおり訂正は認められるから、本件の発明は、訂正明細書の特許請求の範囲の請求項１−３に記載された事項により特定される次のとおりのものである。（以下、訂正後の請求項に対応して訂正発明１乃至訂正発明３という。）
【請求項１】
　検査対象部内に挿入される挿入部と、前記挿入部に配設され、広角側及び拡大側に移動するズームレンズを有する対物レンズ系と、前記挿入部の先端部に形成される湾曲動作可能な湾曲部と、前記挿入部の基端側に接続される操作部と、前記操作部に回動可能に配設され、前記湾曲部を湾曲操作するための湾曲操作ノブと、前記湾曲操作ノブの回動中心軸を中心に回動し、先端側に回転させることで、前記ズームレンズをその光軸方向に沿って拡大側に移動させ、基端側に回転させることで、前記ズームレンズを広角側に移動させ、手を離すと中立位置に自動的に復帰する操作レバーと、を具備することを特徴とする内視鏡装置。
　
【請求項２】
　前記操作レバーは、前記操作部を保持する操作者に向けて、前記操作部の側面と前記湾曲操作ノブとの間に配設されていることを特徴とする請求項１に記載の内視鏡装置。
　
【請求項３】
　前記操作レバーの回転半径が前記湾曲操作ノブの回転半径よりも大きいことを特徴とする請求項１または請求項２記載の内視鏡装置。
　
（２）取消理由通知の概要
　取消理由通知の概要は、本件訂正前の請求項１乃至３に係る発明は、刊行物１乃至刊行物３に記載された発明に基いて当業者が容易に発明をすることができたものであり、その特許は特許法第２９条第２項の規定に違反してなされたものである。というものである。
　
（３）取消理由通知で引用された刊行物に記載された内容
刊行物１；実公昭４９−１３０３５号公報（異議申立人提出の甲１号証）
「一般に内視鏡は第１図に示すように照明窓１及び内視窓２を周壁に有する内視鏡本体３と、接眼部４を有する操作部本体５と、上記内視鏡本体３と操作部本体５とを連結する可撓管６とで構成されており、上記内視鏡本体３に内蔵した対物レンズと、前記接眼部とが可撓管６内に挿入した光学繊維系で光学的に結合せられていることは知られている」（１欄２４〜３１行）
「内視鏡本体３の内部に固定されたレンズ支持部材７の後端には光軸Ｏ上に焦点調節レンズＬ１，Ｌ２及び一対の可動レンズＬ３，Ｌ４からなる可変焦点レンズの焦点位置に端面８ａを定置したガラス繊維束８が固定されている」（２欄３３〜３７行）
「一方の可動枠９に固植され上記リンク１１と１２とを関着したピン１７に一端を固着した操作紐１８は・・・内視鏡本体３の首部６ａ（第１図参照）を彎曲させるための操作紐等の要素が内蔵されるが前記可動レンズ・・・操作部本体５に設けられている焦点距離調節輪１９を回転させて操作紐１８をばね２１の弾力に抗して引張ると、第４図においてピン１５と１６は、互に離れる向きに案内溝７ｂに沿って移動し、そのためレンズＬ３とＬ４が互に接近する向きに移動して全系の焦点距離が連続的に変化する。また、引っ張った操作紐１８を弛緩させると両レンズはバネ２１の作用により互いに離間する向きに移動して上述と同様に焦点距離が変化する。」（３欄１４行〜４欄７行）
　
刊行物２；実願平３−１９６０３号（実開平４−１０８５０７号）のマイクロフィルム（同甲２号証）
「・・・起立台１１の起立動作を遠隔操作によって行わせるために、この起立台１１に接続した操作ワイヤ１２は、挿入部３から本体操作部２内にまで延在せしめられて、この本体操作部２内に設けた操作機構部１３に連結されている。・・・スライダ１７をスライド変位させるために設けられる起立レバー１４は、本体操作部２におけるケーシング外に導き出されて、この内視鏡１を操作する術者等が手指で回動操作することができるようになっている。・・・」（【００１２】）
「・・・挿入部３のアングル部３ｂを所望の方向に湾曲させる、所謂アングル操作を行うためのアングルノブ３０と共に本体操作部２に設けられて・・・起立レバー１４に連結した回動軸１８はアングルノブ３０の伝達軸３１と同軸に設けられて、本体操作部２に内装した取り付け板６に支承されている。・・・」（【００１４】）
　
　図１〜図５には、起立レバー１４が、本体操作部２を保持する操作者に向けて、本体操作部２の側面とアングルノブ３ ０との間に配設されている状態が図示され、図３には、アングルノブ３０が二段に配置された状態が図示され、図２には、起立レバー１４の回転半径が、内側の大きなアングルノブ３０の回転半径よりは小さいが、外側の小さなアングルノブ３０の回転半径よりは大きい点が図示されている。
　
刊行物３；実公平１−３０１６１号公報（同甲３号証）　
「上記操作部２の側部には処置具挿入口１２が形成されており・・・処置具導出口１５から突出可能とされる鉗子１３の先端側は、操作部２の後端付近に形成された処置具起上ノブ１６を操作することによって、第２図に示すように処置具起上用ワイヤ１７を経て、処置具台１８を起上（回動）させて、視野内に導くことができるようになっている。」（４欄２４〜３４行）と記載されていて、第１図には、「処置具起上ノブ１６」の回転半径が「湾曲操作ノブ２１」の回転半径より大きい点が図示されている。
　
（４）訂正発明１について
　刊行物１に記載されたレンズ系は、広角側及び拡大側に移動するズームレンズを有する対物レンズ系と認められるから、訂正発明１と刊行物１に記載された発明とは、
「検査対象部内に挿入される挿入部と、前記挿入部に配設され、広角側及び拡大側に移動するズームレンズを有する対物レンズ系と、前記挿入部の先端部に形成される湾曲動作可能な湾曲部と、前記挿入部の基端側に接続される操作部と、前記湾曲部を湾曲操作するための湾曲操作部と、前記ズームレンズを広角側及び拡大側に移動移動させるための操作機構と、を具備する内視鏡装置」で一致し、次の点で相違する。
　
相違点１；
　訂正発明１は、操作部に回動可能に配設され、前記湾曲部を湾曲操作するための湾曲操作ノブを有するのに対し、刊行物１に記載された発明では、湾曲部を湾曲操作するための機構について記載・図示されていない点。
　
相違点２；
　訂正発明１は、「湾曲操作ノブの回動中心軸を中心に回動し、先端側に回転させることで、前記ズームレンズをその光軸方向に沿って拡大側に移動させ、基端側に回転させることで、前記ズームレンズを広角側に移動させ、手を離すと中立位置に自動的に復帰する操作レバー」という構成を有しているのに対し、
　刊行物１に記載された発明では、操作部に設けられた焦点調節輪を回転させて操作紐をバネ２１の弾力に抗して引張ると、レンズＬ３とＬ４が互に接近する向きに移動して全系の焦点距離が連続的に変化し、また、引っ張った操作紐１８を弛緩させると両レンズはバネ２１の作用により互いに離間する向きに移動して焦点距離が変化する構成である点。
　
　まず、相違点２について検討するに、
　刊行物２には、アングルノブ３０が内視鏡の操作部に設けられて、アングルノブ（すなわち操作レバー）を回動させることにより操作ワイヤ１２を介して操作対象物を進退させる構造が記載されており、この機構を刊行物１に記載された操作紐・焦点距離調節輪と置き換えることに困難はないが、その置換によって得られるものは、操作レバーから手を離して操作紐を弛緩するとバネの作用により操作レバーが初期位置に戻ってしまう構成にすぎない。
　すなわち、刊行物１及び刊行物２に記載された機構には中立位置や中立位置に自動的に復帰する操作レバーがなく、これらは、刊行物３にも記載されていないから、刊行物１乃至刊行物３に記載された発明を組み合わせることができたとしても、訂正発明１の相違点２に係る構成（先端側に回転させることで、前記ズームレンズをその光軸方向に沿って拡大側に移動させ、基端側に回転させることで、前記ズームレンズを広角側に移動させ、手を離すと中立位置に自動的に復帰する操作レバー）を得ることはできない。
　そうすると、相違点１についての検討結果にかかわらず、訂正発明１は引用刊行物１乃至３に記載された発明に基いて当業者が容易に発明をすることができたものである、とすることはできない。
　
（５）訂正発明２、３について
　訂正発明２は、訂正発明１を引用してさらに限定を付したものであり、訂正発明３は、訂正発明１又は訂正発明２を引用してさらに限定を付したものであるから、上記訂正発明１についての説示と同様に、訂正発明２も訂正発明３も引用刊行物１乃至３に記載された発明に基いて当業者が容易に発明をすることができたものである、とすることはできない。
　
［４］結論
　以上のとおりであるから、特許異議申立の理由及び証拠によっては、訂正発明１乃至３についての特許を取り消すことができない。また、他に訂正発明１乃至３に係る発明についての特許を取り消すべき理由を発見しない。
　よって、結論のとおり決定する。
【異議決定日】
平成１６年１１月２９日（２００４．１１．２９）
【訂正の要旨】
審決（決定）の【理由】欄参照。
（５４）【発明の名称】
内視鏡装置
（５７）【特許請求の範囲】
　【請求項１】検査対象部内に挿入される挿入部と、前記挿入部に配設され、広角側及び拡大側に移動するズームレンズを有する対物レンズ系と、前記挿入部の先端部に形成される湾曲動作可能な湾曲部と、前記挿入部の基端側に接続される操作部と、前記操作部に回動可能に配設され、前記湾曲部を湾曲操作するための湾曲操作ノブと、前記湾曲操作ノブの回動中心軸を中心に回動し、先端側に回転させることで、前記ズームレンズをその光軸方向に沿って拡大側に移動させ、基端側に回転させることで、前記ズームレンズを広角側に移動させ
、手を離すと中立位置に自動的に復帰する
　【請求項２】前記操作レバーは、前記操作部を保持する操作者に向けて、前記操作部の側面と前記湾曲操作ノブとの間に配設されていることを特徴とする請求項１に記載の内視鏡装置。
　【請求項３】前記操作レバーの回転半径が前記湾曲操作ノブの回転半径よりも大きいことを特徴とする請求項１または請求項２に記載の内視鏡装置。
【発明の詳細な説明】
　【０００１】
　【発明の属する技術分野】本発明は内視鏡装置に関する。
　【０００２】
　【従来の技術】従来から、内視鏡に内蔵されたアクチュエータを駆動させて、例えばズームレンズ等の光学系要素を動作させることが行なわれている（特開平６−３１５２８２号公報等）。
　【０００３】前記アクチュエータを駆動および停止させるための操作手段としては、いわゆるシーソー型のスイッチやフットスイッチなど各種の操作スイッチが使用されている。フットスイッチなどは別として、シーソー型のスイッチなどの小型で指操作可能なスイッチは、操作性の点から、内視鏡の手元側に位置する操作部に設けられる。
　【０００４】
　【発明が解決しようとする課題】しかしながら、内視鏡の操作部には、内視鏡の挿入部（具体的には、湾曲部）を湾曲動作させるための操作ノブや、内視鏡画像を記憶するためのレリーズスイッチや、静止画像を得るためのフリーズスイッチ、あるいは、ＶＴＲやビデオプリンタ等のためのスイッチなど各種の操作手段が設けられているため、アクチュエータのための新たな操作スイッチ（アクチュエータスイッチ）を内視鏡の操作部に設置する場合、その設置スペースを確保することが難しく、アクチュエータスイッチを操作性が悪い位置に設置せざるを得なかったり、アクチュエータスイッチの設置によって既存の他の操作手段の操作性が損なわれる場合がある。
　【０００５】特に、アクチュエータスイッチと他の既存の操作手段とが接近してしまうと、アクチュエータの操作時に誤って他の操作手段を操作してしまったり、他の機構の操作時にアクチュエータを駆動させてしまったりする虞がある。
　【０００６】本発明は上記事情に着目してなされたものであり、その目的とするところは、内視鏡に設けられたアクチュエータのための操作手段を良好な操作性が確保し得る態様で内視鏡の操作部に容易に設置できる内視鏡装置を提供することにある。
　【０００７】
　【問題を解決するための手段】上記課題を解決するために、本発明の
請求項１に係る
、手を離すと中立位置に自動的に復帰する
さらに、請求項２に係る発明は、前記操作レバーは、前記操作部を保持する操作者に向けて、前記操作部の側面と前記湾曲操作ノブとの間に配設されていることを特徴とする請求項１に記載の内視鏡装置である。請求項３に係る発明は、前記操作レバーの回転半径が前記湾曲操作ノブの回転半径よりも大きいことを特徴とする請求項１または請求項２に記載の内視鏡装置である。
　【０００８】
　【発明の実施の形態】以下、図面を参照しながら本発明の実施形態について説明する。
　【０００９】図１〜図５は本発明の第１の実施形態を示している。図１は、拡大式電子内視鏡（以下、単に内視鏡という。）２１を備えた内視鏡装置のシステムを概略的に示している。図示のように、内視鏡２１は、挿入部２２と操作部２３とからその本体が構成されている。挿入部２２は、可撓管部２８と、可撓管部２８の先端に接続されて湾曲操作される湾曲部２７と、湾曲部２７の先端に設けられ且つ各種の光学要素が組み込まれた先端構成部２６とからなる。
　【００１０】操作部２３にはユニバーサルコード２４が接続されており、ユニバーサルコード２４の先端には、後述する光源装置４５に接続されるコネクタ２５が設けられている。コネクタ２５からはズームケーブル２９が延出しており、ズームケーブル２９の先端にはズームコネクタ３０が設けられている。このズームコネクタ３０には図示のように接続コード３１が接続されるが、接続コード３１が接続されない場合にはキャップ３０ａがズームコネクタ３０に装着される。
　【００１１】接続コード３１は、その一端にズームコネクタ３０に対して着脱自在に接続される第１のコネクタ３２を有し、その他端にズーム制御装置３４に対して着脱自在に接続される第２のコネクタ３３を有している。ズーム制御装置３４には、フットスイッチ３６に接続される接続コード３７と、挿入部２２に取り付けられたシーソー型のズーム用リモコンスイッチ３８に接続される接続コード３９とが着脱自在に接続されている。
　【００１２】ユニバーサルコード２４のコネクタ２５には、ビデオケーブル４０の一端に設けられたコネクタ４１が着脱自在に接続されている。ビデオケーブル４０の他端にはコネクタ４２が設けられ、このコネクタ４２はカメラコントロールユニット（以下、ＣＣＵという。）４３に対して着脱自在に接続されている。なお、ＣＣＵ４３の出力画像は、図２に示すモニタ４４の画面に表示される。
　【００１３】図２に示すように、光源装置４５には、内視鏡２１に内蔵されるライトガイドファイバ４７に対して照明光を入射せしめるランプ４６と、照明光を絞る絞り４６ａとが内蔵されている。また、図示しないが、光源装置４５には、内視鏡２１の挿入部２２内に配設された送気管路に空気を供給する送気源と、同じく内視鏡２１の挿入部２２内に配設された送水管路に水を供給する送水源とが内蔵されている。
　【００１４】一方、内視鏡２１の先端構成部２６内には、対物レンズ系４８と、撮像素子４９とが内蔵され、被写体を撮像できるようになっている。なお、撮像素子４９としては、固体撮像素子、特に電荷結合素子（ＣＣＤ）が好ましい。したがって、以下では、撮像素子４９をＣＣＤとして話をすすめることとする。
　【００１５】対物レンズ系４８はズームレンズ５０を有している。このズームレンズ５０は、一般のズームレンズと異なり、変倍するとフォーカス点が変化する形式のものである。すなわち、広角側では例えば被写界深度が５〜１００ｍｍで、拡大側では被写界深度が２〜５ｍｍである。
　【００１６】ＣＣＤ４９の撮像信号は、プリアンプ５１を介して、ＣＣＵ４３内のビデオ信号処理回路５２に入力されるようになっている。また、内視鏡２１の先端構成部２６内には、ズームレンズ５０を操作するアクチュエータ５３が設けられている。このアクチュエータ５３は、ズーム制御装置３４内に設けられた駆動回路５４からの駆動信号を受けて駆動されるようになっている。なお、アクチュエータ５３は、詳しくは圧電式アクチュエータからなり、連結部材５６と連結腕５５とを介してズームレンズ５０を光軸方向に前後移動させる。
　【００１７】オートズーム（すなわち、オートフォーカス）を可能とするために、ＣＣＵ４３内にはフォーカス検出回路６５が内蔵されている。フォーカス検出回路６５にはビデオ信号処理回路５２の画像信号が入力される。フォーカス検出回路６５はその入力された画像信号からコントラストのデータを算出し、このデータを制御回路６３に入力する。これによって、制御回路６３は、駆動回路５４を介してアクチュエータ５３の駆動を制御し、ズームレンズ５０を焦点が合う位置へと移動させる。
　【００１８】具体的には、オートフォーカス制御が行なわれると、制御回路６３は、例えばコントラスト法（山登り法）により画像のコントラストが最大になるようにズームレンズ５０を移動させるべくアクチュエータ５３の駆動を制御する。すなわち、ＣＣＤ４９の受光面にピントが常に合うようにズームレンズ５０を移動させる。これによって、モニタ４４に表示される画像は常にピントが合った状態となる。
　【００１９】なお、一般に、内視鏡２１の光学系は、広角時には深度が深くピントを合わせ易いが、拡大時には深度が浅くピントが合わせにくい。したがって、拡大時のみ自動的にオートフォーカスとし、その他の時にはオートフォーカスをＯＦＦするようにしても良い。このようにすることにより、アクチュエータ５３の耐久性がアップする。
　【００２０】また、本実施形態の内視鏡装置では、フットスイッチ３６によってマニュアルズ−ム（すなわち、マニュアルフォ−カス）が可能となる。すなわち、フットスイッチ３６は拡大（Ｔ）スイッチ部３６ａと広角（Ｗ）スイッチ部３６ｂとを備えており、各スイッチ部３６ａ，３６ｂが選択的に操作されることにより、アクチュエータ５３が駆動され、対物レンズ系４８のズームレンズ５０がその選択されたスイッチ操作に応じて光軸方向の前方または後方へ移動されて、所定のズームがなされる。なお、各スイッチ部３６ａ，３６ｂの操作に伴うフットスイッチ３６からの出力信号は、フォトカプラ６４を介して、制御回路６３に入力される。
　【００２１】このため、フットスイッチ３６側と制御回路６３側とが電気的に絶縁される。
　【００２２】また、本実施形態の内視鏡装置では、リモコンスイッチ３８によってもマニュアルズ−ムが可能となる。すなわち、リモコンスイッチ３８は、シーソー型のものであり、一方の山部を形成する拡大（Ｔ）スイッチ部３８ａと、他方の山部を形成する広角（Ｗ）スイッチ部３８ｂとを備えている。そして、各スイッチ部３８ａ，３８ｂが選択的に操作されると、各スイッチ部３８ａ，３８ｂの操作に伴うリモコンスイッチ３８からの出力信号が制御回路６３に直接に入力される。これによって、アクチュエータ５３が駆動され、対物レンズ系４８のズームレンズ５０がその選択されたスイッチ操作に応じて光軸方向の前方または後方へ移動されて、所定のズームがなされる。
　【００２３】さらに、本実施形態の内視鏡装置では、マニュアルズ−ムのための操作手段が内視鏡２１の操作部２３にも設けられている。以下、これについて述べる。
　【００２４】図３に示すように、操作部２３には、アクチュエータ操作指示機構６２が設けられている。このアクチュエータ操作指示機構６２は、後述する起上ワイヤ押し引き機構を収納するために通常確保されているスペースＳ（図５参照）に設置されたスイッチユニット５７と、スイッチユニット５７に連結されたリンク８と、リンク８に回動可能に連結された操作レバー９とを有している。操作レバー９は、湾曲部２７を湾曲操作するための操作ノブ２３ａの回転中心軸１１を中心に回動されるようになっており、その回動半径が湾曲ノブ２３ａの回転半径よりも大きくなるような長さで延びている。なお、操作レバー９の端部にはノブ１０が設けられている。
　【００２５】また、操作部２３には、内視鏡画像を記憶するためのレリーズスイッチ１２と、静止画像を得るためのフリーズスイッチ１３と、選択スイッチ１４とが設けられている。この場合、選択スイッチ１４はオートフォーカスのＯＮ／ＯＦＦを行なうためのものであり、選択スイッチ１４がＯＮされると、オートズーム（すなわち、オートフォーカス）制御が行なわれ、選択スイッチ１４がＯＦＦされると、マニュアルズーム（すなわち、マニュアルフォーカス）制御が可能となる。
　【００２６】図４に示すように、リンク８の端部８ａは、スイッチユニット５７の押圧部材５７ａに設けられた軸５７ｂに回動可能に連結されている。押圧部材５７ａは、ガイド板５８，５８に挟持されており、ガイド板５８，５８に沿って摺動できる。押圧部材５７ａの両端部にはそれぞれ凸部５７ｃ，５７ｄが形成されている。また、ガイド板５８、５８の両端部には、いわゆるプッシュ型のスイッチ５９ａ，５９ｂが設けられている。
　【００２７】スイッチユニット５７のこのような構成では、操作レバー９が回動操作されると、リンク８を介して押圧部材５７ａがガイド板５８，５８に沿って移動し、押圧部材５７ａによってプッシュ型のスイッチ５９ａ，５９ｂが押される。これによって、スイッチ５９ａ，５９ｂがＯＮされる。具体的には、操作レバー９が図３に矢印で示すＷ方向に回動されると、押圧部材５７ａが図４の左方向に移動し、プッシュスイッチ５９ａがＯＮされる（図４の（ｂ）の状態）。逆に、操作レバー９が図３に矢印で示すＴ方向に回動されると、プッシュスイッチ５９ｂがＯＮされる。
　【００２８】これらのスイッチ５９ａ，５９ｂの出力信号は、ズーム制御装置３４内に設けられた制御回路６３に入力される。この入力に基づいて、制御回路６３は、駆動回路５４に対して、アクチュエータ５３の駆動波形の形式と駆動電力等の種類を指示する。そして、駆動回路５４は、制御回路６３からの指示に基づいて、アクチュエータ５３を動作させ、ズームレンズ５０を所定の方向に所定の量だけ移動させる。具体的には、プッシュスイッチ５９ａがＯＮされると、ズームレンズ５０が光軸に沿って後方に移動し、プッシュスイッチ５９ｂがＯＮされると、ズームレンズ５０が光軸に沿って前方に移動する。
　【００２９】なお、ノブ１０から手を離すと、図示しないバネの作用により、押圧部材５７ａが中立状態（すなわち、両方のスイッチ５９ａ，５９ｂがＯＦＦの状態）に自動的に復帰される（図４の（ａ）の実線の状態）。
　【００３０】本実施形態では、スイッチ５９ａ，５９ｂの代わりにリニアポテンショメータを設け、押圧部材５７ａの変位量すなわち操作レバー９の回動量に応じて、ズームスピードを変化させるようにしても良い。また、スイッチ５９ａ，５９ｂを２段スイッチとし、ズームスピードを２段階に切り換えることができるようにしても良い。
　【００３１】また、本実施形態では、操作レバー９が操作されて拡大用のプッシュスイッチ５９ｂが押されると、制御回路６３が光源装置４５内の絞り制御回路４５ａに対して絞り４６ａを拡大率に応じて開けるように指示する。一般に、拡大観察時は光量が足りなくなるが、本実施形態では、拡大率に応じて光量がアップするため、簡単な構成で拡大時の光量不足を解消できる。
　【００３２】以上説明したように、本実施形態の内視鏡装置は、操作レバー９の回動半径が湾曲ノブ２３ａの回転半径よりも大きく設定されているため、操作レバー９の操作性が良好となり、誤操作を防止できるとともに、操作力量が小さくて済む。また、操作レバー９が湾曲操作ノブ２３ａの回転軸１１に回転可能に設けられているため、スイッチ類で過密状態の操作部２３に新たに操作レバー９のための設置スペースを確保しないで済む。
　【００３３】また、本実施形態の内視鏡装置は、拡大スイッチ５９ｂがＯＮされると、拡大率に応じて絞り４６ａの開口量が調節されるため、拡大時でも明るい像が得られる。
　【００３４】ところで、図５に示された内視鏡１には、挿入部２２の先端開口から突出する処置具（図示せず）の突出方向を変化させるために、挿入部２２の先端部に処置具起上台４が起伏可能に設けられている。このような内視鏡１では、起上台４に接続固定されて挿入部２内を延びる起上ワイヤ５を操作部２３側で押し引き操作することにより、起上台４が起伏動作される。この図５では、起上ワイヤ５を押し引き操作するための機構として、本実施形態のアクチュエータ操作指示機構６２を利用した態様が示されているが、このように、本実施形態の内視鏡装置のアクチュエータ操作指示機構６２は、例えばスイッチユニット５７の押圧部材５７ａに起上ワイヤ５を接続することで、起上ワイヤ押し引き機構として機能することができ、また、逆に、処置具起上台４が設置されていない内視鏡であっても起上ワイヤ押し引き機構のためのスペースＳが予め確保されているような内視鏡に対しては、本実施形態のアクチュエータ操作指示機構６２、特にスイッチユニット５７、を容易に設置可能となる。すなわち、本実施形態の内視鏡装置の内視鏡２１は、操作部２３の外観および操作レバー９回りの機構が処置具起上台４付きの内視鏡１と全く同じであり、つまり、図５（および後述する図１０も同様）に示されるように、操作レバー９は操作部２３を保持した操作者に向けて操作部２３の側面と湾曲操作ノブ２３ａとの間に配設されており、これによって、安価でシンプルな操作部２３を提供できる。
　【００３５】図６および図７は本発明の第２の実施形態を示している。なお、第１の実施形態と同一の構成部材については同一符号を付してその説明を省略する。
　【００３６】本実施形態では、アクチュエータ５３のための操作手段として、操作レバー９ではなく、シーソー型の操作スイッチ１００が使用される。図６に示すように、この操作スイッチ１００は、一方の山部を形成する拡大（Ｔ）スイッチ部１００ａと、他方の山部を形成する広角（Ｗ）スイッチ部１００ｂと、スイッチ部１００ａ，１００ｂ間に形成される谷部１００ｃとを有し、操作部２３を把持する手の親指の延長軸に対して垂直方向にシーソー動作する（図６の（ａ）および図７の（ａ）参照）。
　【００３７】各スイッチ部１００ａ，１００ｂが選択的に操作されると、各スイッチ部１００ａ，１００ｂの操作に伴うスイッチ１００からの出力信号が制御回路６３に直接に入力される。これによって、アクチュエータ５３が駆動され、対物レンズ系４８のズームレンズ５０がその選択されたスイッチ操作に応じて光軸方向の前方または後方へ移動されて、所定のズームがなされる。
　【００３８】操作スイッチ１００は、操作部２３の側壁部位に例えばレリーズスイッチ１２と近接して設けられている。具体的には、操作スイッチ１００は、内視鏡２１のレリーズスイッチ１２が通常設けられている位置（図３参照）に設けられている。一方、レリーズスイッチ１２は、操作スイッチ１００の上側の位置に設けられている。
　【００３９】操作スイッチ１００は、その谷部１００ｃの先（向う側）にレリーズスイッチ１２が位置するように、すなわち、操作スイッチ１００を図６の（ａ）のＡ方向から見た時（図６の（ｃ）参照）に谷部１００ｃ内にレリーズスイッチ１２が納まるように、設けられている。
　【００４０】このような態様で操作スイッチ１００が設けられる構成では、レリーズスイッチ１２を親指で操作する際に、図７の（ａ）に示すように操作スイッチ１００の谷部１００ｃ上を親指が通過することとなる。すなわち、レリーズスイッチ１２の操作に際して操作スイッチ１００が邪魔にならない。一方、操作スイッチ１００を操作する時は、図７の（ｂ）に示すように、親指を左右に動かすだけで良いため、操作性が非常に良好であり、また、レリーズスイッチ１２を誤って操作することもない。なお、操作スイッチ１００を押す際の押圧力または押圧量に応じて、ズームスピードが変化するようにしても良い。
　【００４１】このように、本実施形態によれば、操作部２３に操作スイッチ２３を付加しても操作性が損なわれない。
　【００４２】なお、本実施形態では、レリーズスイッチ１２の近傍に操作スイッチ１００を設けたが、これに限らず、例えばフリーズスイッチ１３や選択スイッチ１４の近傍に操作スイッチ１００を設けても良い。また、操作スイッチは、シーソー型のものに限らず、例えば、タクトスイッチ、ボリューム、フォトインタラプタ、歪ゲージであっても良い。
　【００４３】また、操作スイッチ１００を図８に示すように構成しても良い。すなわち、拡大（Ｔ）スイッチ部を２個、広角（Ｗ）スイッチ部を２個、設けるようにする。
　【００４４】このように構成すると、医者は、指の長さや操作部２３の把持形態に応じて、自分が操作しやすい位置のスイッチを操作すれば良いため、操作性が良好となる。すなわち、多くの医者に適合したスイッチを提供できる。
　【００４５】図９〜図１６は本発明の第３の実施形態を示している。なお、第１の実施形態と同一の構成部材については同一符号を付してその説明を省略する。
　【００４６】図９に示すように、本実施形態においても、第１の実施形態と同様、アクチュエータ５３（図２参照）を駆動させるための信号を制御回路６３（図２参照）に入力するアクチュエータ操作指示機構３００が操作部２３に設けられている。
　【００４７】図示のように、アクチュエータ操作指示機構３００は、スイッチユニット３０１と、スイッチユニット３０１に連結されたリンク３０２と、リンク３０２に回動可能に連結されたレバー部３０３とを有している。レバー部３０３は、湾曲部２７を湾曲操作するための操作ノブ２３ａの回転中心軸１１を中心に回動されるようになっている。
　【００４８】図１０に示すように、操作レバー部３０３は、操作レバー３０４と、回転部３０５と、リンク脚３０６と、ノブ３０７とによって構成されている。操作レバー３０４とリンク脚３０６はそれぞれ、ネジによって回転部３０５に締結されている。操作レバー３０４は、操作ノブ２３ａの回転半径よりも大きい長さで延びており、その端部にノブ３０７が固定されている。また、リンク脚３０６には、ピン３０８と止め輪３０９とを介して、リンク３０２が回動自在に連結されている。
　【００４９】回転部３０５は、中心軸１１とカバー３１２との間の空間内に配置され、これらの部材１１，３１２に対して回転できる。回転部３０５と中心軸１１およびカバー３１２との間を水密に保持するため、回転部３０５と中心軸１１との間にはＯリング３１１ａが介挿され、回転部３０５とカバー３１２との間にはＯリング３１１ｂが介挿されている。すなわち、回転部３０５は、防水性をもって、中心軸１１とカバー３１２とに対して回転可能となっている。なお、回転部３０５と中心軸１１との間の摺動抵抗および回転部３０５とカバー３１２との間の摺動抵抗を軽減するために、回転部３０５とこれらの部材１１，３１２との間にはそれぞれ、テフロン（登録商標）製のワッシャ３１３ａ，３１３ｂ，３１３ｃが介挿されている。
　【００５０】図１１にはスイッチユニット３０１の詳細な構成が示されている。図示のように、スイッチユニット３０１は、後述する各種の構成部材が組み込まれた断面が略「Ｕ」の字型（図１３参照）のハウジング３１９を有している。ハウジング３１９内には、リンク３０２に回動可能に連結される押圧部材３１４が配設されている。この場合、押圧部材３１４は、図１２に示すように、ピン３１５と止め輪３１６とを介して、リンク３０２に連結されている。また、押圧部材３１４は、ハウジング３１９に固定されたガイド部材３３０に挟持されており、このガイド部材３３０に沿って図中矢印方向にのみ移動できる。
　【００５１】押圧部材３１４には、ネジ３４０，３４０によって、中立復帰部材３１７の一端部が固定されている。また、中立復帰部材３１７の他端部には、ネジ３４１，３４１によって、板バネ押し部材３１８が固定されている。したがって、中立復帰部材３１７および板バネ押し部材３１８は、押圧部材３１４と一体で図中矢印方向に移動することができる。なお、板バネ押し部材３１８は、後述する基板３２５と対向する面の両側にそれぞれ凸部３１８ａ，３１８ｂを有している。
　【００５２】中立復帰部材３１７の中央部は、ハウジング３１９に固定されたコイルバネ取付け部材３２０によって、スライド可能に支持されている。これについて詳しく説明すると、まず、図１３（図１２のＣーＣ線に沿う断面図）に示すように、中立復帰部材３１７の中央部は、中立復帰部材３１７の移動方向に対して略直角に延びる上面部３１７ａおよび下面部３１７ｂと、これら上面部３１７ａと下面部３１７ｂとを接続する接続部３１７ｃとによって、断面が略「コ」の字型に形成されている。一方、コイルバネ取付け部材３２０は、中立復帰部材３１７の移動方向に対して略直角に延びる上面部３２０ａおよび下面部３２０ｂと、これら上面部３２０ａと下面部３２０ｂとを接続する接続部３２０ｃとによって、断面が略「コ」の字型に形成され、その上面部３２０ａを中立復帰部材３１７の上面部３１７ａと下面部３１７ｂとの間に位置させるように中立復帰部材３１７と対向して配置されている。そして、この場合、接続部３１７ｃには、中立復帰部材３１７の長手方向に沿って、コイルバネ取付け部材３２０の長さＬよりも長いスリット３２３が形成されており、このスリット３２３にコイルバネ取付け部材３２０の上面部３２０ａの端部３２４が嵌入されている。すなわち、中立復帰部材３１７は、スリット３２３に嵌入されるコイルバネ取付け部材３２０の上面部３２０ａの端部３２４によってその中央部が支持され、スリット３２３を介してコイルバネ取付け部材３２０に対してスライドすることができる。
　【００５３】また、コイルバネ取付け部材３２０の上面部３２０ａには凹状の切り欠き３４４が形成されている。この切り欠き３４４にはコイル状の圧縮バネ３２１が配設されている。圧縮バネ３２１は、上面部３２０ａに設けられ且つ切り欠き３４４側に突出する一対の支持部３２２，３２２によって、その両端が支持されている。また、圧縮バネ３２１の一部は、中立復帰部材３１７の上面部３１７ａおよび下面部３１７ｂに形成された凹状の切り欠き３４３，３４３を通じて、上面部３１７ａの上方および下面部３１７ｂの下方に突出している。したがって、押圧部材３１４の移動に伴って中立復帰部材３１７が図中矢印方向に移動されると、中立復帰部材３１７の上面部３１７ａおよび下面部３１７が圧縮バネ３２１と当接して、圧縮バネ３２１がさらに圧縮される。
　【００５４】図１１に示すように、ハウジング３１９には、板バネ押し部材３１８と対向する位置に、基板３２５が固定されている。基板３２５の上面には、４つのタクトスイッチ３２６ａ，３２６ｂ，３２６ｃ，３２６ｄが実装されている。図１４（図１１のＤ方向矢視図）にも示すように、基板３２５の上面の一端側には、互いに軸方向に位置をずらして２つのタクトスイッチ３２６ａ，３２６ｂが設けられている。また、基板３２５の上面の他端側には、互いに軸方向に位置をずらして２つのタクトスイッチ３２６ｃ，３２６ｄが設けられている。また、基板３２５には、ネジ３４９，３４９によって、板バネ３２７が固定されている。この板バネ３２７は、各タクトスイッチ３２６ａ，３２６ｂ，３２６ｃ，３２６ｄのスイッチ部３２６ａ´，３２６ｂ´，３２６ｃ´，３２６ｄ´を押圧可能な位置に、４つの押圧バネ３２８ａ，３２８ｂ，３２８ｃ，３２８ｄを有している。
　【００５５】次に、上記構成のアクチュエータ操作指示機構３００の動作について説明する。
　【００５６】まず、操作レバー部３０３が図９に矢印で示すＷ方向に回動操作されると、回転部３０５が回転され、回転部３０５に締結されたリンク脚３０６とリンク３０２とを介して押圧部材３１４がガイド部材３３０に沿って図１１中の左方向に移動する。この状態が図１５の（ａ）に示されている。図示のように、押圧部材３１４に固定された中立復帰部材３１７は、押圧部材３１４に伴って移動し、バネ３２１を長さｓだけ収縮させる。また、この時、中立復帰部材３１７に固定された板バネ押し部材３１８の凸部３１８ａが板バネ３２７の押圧バネ３２８ａを下側に押圧する。したがって、タクトスイッチ３２６ａのスイッチ部３２６ａ´が押圧バネ３２８ａによって押され、タクトスイッチ３２６ａがＯＮされる。
　【００５７】この状態からさらに操作レバー部３０３がＷ方向に回動操作されると、図１５の（ｂ）に示すように、バネ３２１が長さｓ´収縮されるとともに、凸部３１８ａが板バネ３２７の押圧バネ３２８ｂをも下側に押圧し、押圧バネ３２８ｂによってタクトスイッチ３２６ｂのスイッチ部３２６ｂ´が押されて、タクトスイッチ３２６ｂもＯＮされる。
　【００５８】なお、この状態で、操作レバー部３０３から手を放すと、コイルバネ３２１の付勢力によって中立復帰部材３１７が中立位置に押し戻され、タクトスイッチ３２６ａ，３２６ｂがＯＦＦとなり、さらに、操作レバー部３０３も中立位置に戻される。
　【００５９】一方、操作レバー部３０３が図９に矢印で示すＴ方向に回動操作されると、回転部３０５が回転され、回転部３０５に締結されたリンク脚３０６とリンク３０２とを介して押圧部材３１４がガイド部材３３０に沿って図１１中の右方向に移動する。この状態が図１６の（ａ）に示されている。図示のように、押圧部材３１４に固定された中立復帰部材３１７は、押圧部材３１４に伴って移動し、バネ３２１を長さｓだけ収縮させる。また、この時、中立復帰部材３１７に固定された板バネ押し部材３１８の凸部３１８ｂが板バネ３２７の押圧バネ３２８ｃを下側に押圧する。したがって、タクトスイッチ３２６ｃのスイッチ部３２６ｃ´が押圧バネ３２８ｃによって押され、タクトスイッチ３２６ｃがＯＮされる。
　【００６０】この状態からさらに操作レバー部３０３がＷ方向に回動操作されると、図１６の（ｂ）に示すように、バネ３２１が長さｓ´収縮されるとともに、凸部３１８ｂが板バネ３２７の押圧バネ３２８ｄをも下側に押圧し、押圧バネ３２８ｄによってタクトスイッチ３２６ｄのスイッチ部３２６ｄ´が押されて、タクトスイッチ３２６ｄもＯＮされる。
　【００６１】なお、この状態で、操作レバー部３０３から手を放すと、コイルバネ３２１の付勢力によって中立復帰部材３１７が中立位置に押し戻され、タクトスイッチ３２６ｃ，３２６ｄがＯＦＦとなり、さらに、操作レバー部３０３も中立位置に戻される。
　【００６２】タクトスイッチ３２６ａ，３２６ｂ，３２６ｃ，３２６ｄの出力信号は、制御回路６３（図２参照）に入力される。制御回路６３は、タクトスイッチ３２６ａがＯＮされると、ズームレンズ５０が遅いスピードでズームアウトの方向に移動されるようにアクチュエータ５３の駆動を制御し、タクトスイッチ３２６ｂがＯＮされると、ズームレンズ５０が速いスピードでズームアウトの方向に移動されるようにアクチュエータ５３の駆動を制御する。また、制御回路６３は、タクトスイッチ３２６ｃがＯＮされると、ズームレンズ５０が遅いスピードでズームインの方向に移動されるようにアクチュエータ５３の駆動を制御し、タクトスイッチ３２６ｄがＯＮされると、ズームレンズ５０が速いスピードでズームインの方向に移動されるようにアクチュエータ５３の駆動を制御する。
　【００６３】以上説明したように、本実施形態によれば、操作レバー部３０３を回動動作することによって、画面のズームを所望の方向に動かすことができる。また、操作レバー部３０３の回動量によって、緩急２つのズームスピードを任意に選択することができる。
　【００６４】また、本実施形態では、操作レバー３０３の回転部３０５にＯリング３１１ａ，３１１ｂが設けられているため、防水構造を保つことができる。また、回転部３０５の摺動部にテフロン製のワッシャ３１３ａ，３１３ｂ，３１３ｃが設けられているため、操作レバー３０３の操作力量を軽くすることができる。
　【００６５】さらに、本実施形態では、中立復帰用のコイルバネ３２１が設けられているため、操作レバー３０３を中立位置に確実に戻すことができる。
　【００６６】なお、以上説明した技術内容によれば、以下に示すような各種の構成が得られる。
　【００６７】１．アクチュエータにより被駆動体を駆動する内視鏡と、前記被駆動体を駆動制御する制御装置とを有する内視鏡装置において、前記内視鏡には操作レバーが設けられ、この操作レバーの操作指令により前記制御装置が前記アクチュエータを駆動制御することを特徴とする内視鏡装置。
　【００６８】２．前記操作レバーは、その一端に操作ＳＷ部を有することを特徴とする第１項に記載の内視鏡装置。
　【００６９】３．アクチュエータにより被駆動体を駆動する内視鏡と、前記被駆動体を駆動制御する制御装置とを有する内視鏡装置において、前記内視鏡には操作ＳＷ部が設けられ、この操作ＳＷ部の操作指令により前記制御装置が前記アクチュエータを駆動制御することを特徴とする内視鏡装置。
　【００７０】４．前記操作ＳＷ部がタクトＳＷからなることを特徴とする第２項または第３項に記載の内視鏡装置。
　【００７１】５．前記操作ＳＷ部がボリュームからなることを特徴とする第２項または第３項に記載の内視鏡装置。
　【００７２】６．前記ボリュームがセンタークリックを有することを特徴とする第５項に記載の内視鏡装置。
　【００７３】７．前記操作ＳＷ部がホトインタラプタからなることを特徴とする第２項または第３項に記載の内視鏡装置。
　【００７４】８．前記操作ＳＷ部が歪ゲージからなることを特徴とする第２項または第３項に記載の内視鏡装置。
　【００７５】９．前記操作ＳＷ部が２段ＳＷを有することを特徴とする第２項または第３項に記載の内視鏡装置。
　【００７６】１０．前記操作レバーの回転半径が、内視鏡の操作部に設けられた湾曲操作ノブの回転半径よりも大きいことを特徴とする第１項に記載の内視鏡装置。
　【００７７】１１．前記操作レバーの回転中心が前記湾曲操作ノブの回転中心と同一であることを特徴とする第１０項に記載の内視鏡装置。
　【００７８】１２．前記操作レバーの指当て部と前記湾曲操作ノブとが互いに誤操作しないレベルの間隔を有していることを特徴とする第１０項に記載の内視鏡装置。
　【００７９】１３．前記操作レバーは中立復帰可能であることを特徴とする第１項に記載の内視鏡装置。
　【００８０】１４．前記被駆動体がズームレンズであることを特徴とする第１項ないし第３項のいずれか１項に記載の内視鏡装置。
　【００８１】１５．前記被駆動体がフォーカスレンズであることを特徴とする第１項ないし第３項のいずれか１項に記載の内視鏡装置。
　【００８２】１６．前記被駆動体が光路偏向装置であることを特徴とする第１項ないし第３項のいずれか１項に記載の内視鏡装置。
　【００８３】なお、光路偏向装置は例えば視野変換レンズである。視野変換レンズとは、視野方向を変化させることができる光学系のことである。視野変換レンズ（例えばプリズム）をアクチュエータによって駆動（回転等）させることで、光軸の方向を変える（偏向）ことができる。無論、観察光路の光軸を偏向せず、照明光路の光軸を偏向しても同様の効果が得られる。
　【００８４】１７．前記被駆動体が観察光学系の１部に設けられた絞りであることを特徴とする第１項ないし第３項のいずれか１項に記載の内視鏡装置。
　【００８５】１８．前記アクチュエータが圧電式アクチュエータであることを特徴とする第１項ないし第３項のいずれか１項に記載の内視鏡装置。
　【００８６】１９．内視鏡に設けられた被駆動体を駆動するアクチュエータと、前記アクチュエータに駆動電力を供給する駆動回路と、この駆動回路による前記アクチュエータの駆動を制御する制御回路と、この制御回路に制御信号を供給するシーソーＳＷとを有することを特徴とする内視鏡装置。
　【００８７】２０．前記シーソーＳＷの押し付け力に応じてアクチュエータによる被駆動体の移動スピードが制御されることを特徴とする第１９項に記載の内視鏡装置。
　【００８８】２１．前記シーソーＳＷの操作量に応じてアクチュエータによる被駆動体の移動スピードが制御されることを特徴とする第１９項に記載の内視鏡装置。
　【００８９】２２．操作部にアクチュエータ操作用のシーソーＳＷとアクチュエータ操作用以外の第２のＳＷとが設けられた内視鏡において、操作部を把持する手の親指の延長軸に対して垂直方向に動作するように前記シーソーＳＷを設置し、このシーソーＳＷの谷間部の先に前記第２のＳＷを設けたことを特徴とする内視鏡。
　【００９０】２３．前記第２のＳＷは、レリーズＳＷ、フリーズＳＷ、ＶＴＲオン／オフＳＷ，測光切り換えＳＷ，ビデオプリンタのオン／オフＳＷの何れかであることを特徴とする第２２項に記載の内視鏡。
　【００９１】第１９項〜第２３項の構成によれば、操作性の良い内視鏡装置を提供できる。なお、従来（特開平６−３１５２８２号公報等参照）は、被駆動体を駆動指示するための操作ＳＷがない。
　【００９２】２４．オートフォーカスのＯＮ／ＯＦＦスイッチを設けたことを特徴とする内視鏡。
　【００９３】２５．拡大時のみオートフォーカスすることを特徴とする第２４項に記載の内視鏡。
　【００９４】２６．オートフォーカスＯＮ以外のときは広角となることを特徴とする第２４項に記載の内視鏡。
　【００９５】第２４項〜第２６項の構成によれば、必要に応じて簡単にピント合わせが出来る内視鏡装置を提供できる。なお、従来（特開平７−３５９号公報等参照）、ズームレンズを有した内視鏡が知られているが、オートフォーカス内視鏡については知られていない。
　【００９６】２７．拡大率可変内視鏡において、拡大率に応じて適切な光量に制御する手段を有することを特徴とする内視鏡。
　【００９７】２８．拡大率を検出して、それに応じて光量を制御する手段を有することを特徴とする第２７項に記載の内視鏡。
　【００９８】２９．拡大率アップＳＷが押されたかを検出して、検出時光量をアップする手段を有することを特徴とする第２７項に記載の内視鏡。
　【００９９】３０．拡大率アップＳＷが所定時間以上押されたかを検出して、検出時光量をアップする手段を有することを特徴とする第２７項に記載の内視鏡。
　【０１００】第２７項〜第３０項の構成によれば、構成が簡単で拡大時でも明るい内視鏡装置を提供できる。なお、従来（特開平７−３５９号公報等参照）、視野角の変化に応じて照明範囲を可変する内視鏡が知られているが、照明範囲を可変する機構が複雑であった。
　【０１０１】３１．アクチュエータにより光軸方向に前後移動するズームレンズを有する内視鏡と前記アクチュエータを制御する制御装置とを具備する内視鏡装置において、前記内視鏡に配置され回動自在な操作レバーを有し、前記操作レバーの回動により前記制御装置が作用することを特徴とする内視鏡装置。
　【０１０２】
　【発明の効果】以上説明したように、本発明の内視鏡装置によれば、内視鏡に設けられた被駆動体の操作手段を良好な操作性が確保し得る態様で内視鏡の操作部に容易に設置できる。
【図面の簡単な説明】
　【図１】本発明の第１の実施形態に係る内視鏡装置の概略システム図である。
　【図２】図１の内視鏡装置の電気回路図である。
　【図３】図１の内視鏡装置を構成する拡大式電子内視鏡の要部を概略的に示した模式図である。
　【図４】図３の内視鏡のスイッチユニットの断面図である。
　【図５】処置具起上台を有する内視鏡の要部を概略的に示した模式図である。
　【図６】（ａ）は本発明の第２の実施形態に係る内視鏡装置の操作スイッチの取り付け状態を示した平面図、（ｂ）は（ａ）のＢ方向矢視図、（ｃ）は（ａ）のＡ方向矢視図である。
　【図７】図６の操作スイッチを指で操作する様子を示す図である。
　【図８】図６の操作スイッチの変形例を示す平面図である。
　【図９】本発明の第３の実施形態に係る内視鏡装置を構成する拡大式電子内視鏡の要部を概略的に示した模式図である。
　【図１０】図９の内視鏡の操作部に設けられたレバー部の周辺の構造を示す断面図である。
　【図１１】図９の内視鏡の操作部に設けられたスイッチユニットの平面図である。
　【図１２】図１１のＥーＥ線に沿う断面図である。
　【図１３】図１１のＣーＣ線に沿う断面図である。
　【図１４】図１１のＤ方向矢視図である。
　【図１５】図１１のスイッチユニットの動作の一動作態様を示す平面図である。
　【図１６】図１１のスイッチユニットの動作の一動作態様を示す平面図である。
　【符号の説明】
　９，３０３…操作レバー
　１１…回転中心軸
　２１…内視鏡
　２２…挿入部
　２３…操作部
　２３ａ…湾曲操作ノブ
　２７…湾曲部
　５０…ズームレンズ（レンズ）